(57)【要約】【課題】  電気機器のフロント部表面に化粧板を貼着する方法であって、該化粧板がフロント部表面より大きくて外方向へはみ出すサイズであっても、正しく位置決めされて表面に貼着することが出来る方法の提供。【解決手段】  フロント部１５の側面や上面等には凹溝２１，２１・・を形成すると共に該凹溝２１，２１・・から概略Ｌ型をして起立する位置決め部材１７ａ，１７ｂ・・を外側に設け、化粧板１３を上記位置決め部材１７ａ，１７ｂ・・に当てて正しく位置決めしたところでフロント部表面１６に貼着し、その後で位置決め部材１７ａ，１７ｂ・・を削除する。【選択図】    図７
2005136141.tif 000002
【特許請求の範囲】
【請求項１】
フロント部に化粧板を貼着した電気機器において、フロント部の少なくとも上面及び側面には必要に応じて凹溝を形成し、化粧板はフロント部表面より大きくて外方向へはみ出し、そしてフロント部がキャビネットの正面開口に嵌ることで、はみ出した部分がキャビネットの開口縁に当接して組み立てられることを特徴とする化粧板を備えた電気機器。
【請求項２】
フロント部の下側に表面から僅かに突出した縁を沿設し、化粧板の下側を上記縁に当てて位置決め貼着した請求項１記載の化粧板を備えた電気機器。
【請求項３】
電気機器のフロント部表面に化粧板を貼着する方法において、該化粧板はフロント部表面より大きくて外方向へはみ出すサイズであり、フロント部の側面や上面等から起立する位置決め部材を該化粧板の外形部へ延設して、化粧板を上記位置決め部材に当てて正しく位置決めしたところでフロント部表面に貼着し、その後で位置決め部材を削除することを特徴とする電気機器のフロント部表面に化粧板を貼着する方法。
【請求項４】
上記フロント部の側面や上面等には凹溝を形成し、該凹溝から位置決め部材を起立して設けた請求項３記載の電気機器のフロント部表面に化粧板を貼着する方法。
【請求項５】
上記位置決め部材を、フロント部或いは該フロント部の凹溝から起立する起立部と側面又は上面などに沿って延びる位置決め部の概略Ｌ型形状とし、位置決め部先端はフロント部表面から突出し、上記起立部の根元には細くて凹溝深さより短い切断部を形成した請求項３、又は請求項４記載の電気機器のフロント部表面に化粧板を貼着する方法。
【発明の詳細な説明】
【技術分野】
【０００１】
本発明はフロントに化粧板を備えた電気機器、及びフロント部表面に化粧板を位置決めして貼着する方法に関するものである。
【背景技術】
【０００２】
ディスク装置、ビデオデッキ、ステレオ等の電気機器は、その外観向上の為にフロント部のデザインは重視されている。一般に、キャビネットのフロント部には化粧板が貼着される場合が多く、近年では裏面にクロムメッキが施された化粧板が接着され、正面からは鏡面と成って見られる。
【０００３】
ところで、該化粧板はキャビネットのフロント部に接着されるが、その際の位置決めが必要となり、図９に示すように、フロント部１の外周に表面３から突出した縁２を沿設し、該縁２に嵌って取付けられる。従って、化粧板４が接着にて取付けられた状態ではフロント部の縁２が表面化し、これがデザイン化した化粧板４の外観を損なう場合がある。
【０００４】
そこで、化粧板４をフロント部１より大きくするならば、位置決めする為の上記縁２は不要となり、正面に露出することはないが、逆に化粧板４を貼着するに際しての位置決めが出来なくなる。フロント部表面３に起立したピンが嵌合するピン穴を化粧板４の裏面に形成することで位置決めは可能であるが、化粧板４の裏面をクロムメッキして表面を鏡面とする為には、ピン穴の位置でのクロムメッキが剥がれてしまい、それが表面化する。
【０００５】
逆に、化粧板４の裏側にピンを起立しても、クロムメッキが施される裏面は不均一化してそれが表面化する。勿論、表面からフロント部にネジ止めすることは論外である。
【発明の開示】
【発明が解決しようとする課題】
【０００６】
このように、キャビネットのフロント部に化粧板を貼着するには上記のごとき問題がある。本発明が解決しようとする課題はこの問題点であり、フロント部表面より大きな化粧板を正しく位置決めして貼着した電気機器、及び該化粧板の貼着方法を提供する。
【課題を解決するための手段】
【０００７】
本発明に係る電気機器はその正面に化粧板を貼着し、しかも該化粧板はキャビネットのフロント部表面サイズより大きく成って、縁の少なくとも一部がはみ出している。そして、普通は化粧板の裏面にはクロムメッキ等が施されて、その表面は鏡面状態となっている。勿論、化粧板の裏面には必ずしもクロムメッキ等を施して鏡面化する場合に限定するものではない。
【０００８】
そこで、フロント部表面より僅かに大きくなることで、フロント部に従来のような縁を設けることは出来ず、その為にフロント部の外側に位置決め部材を設けている。該位置決め部材は化粧板の縁が当たって位置決めされるに必要な箇所、及び個数が設けられ、化粧板は位置決め部材にて位置決めされた状態で正しく接着剤にて貼着される。
【０００９】
ところで、上記位置決め部材は化粧板をフロント部表面に貼着する際に必要なだけであり、貼着後は不要となる。そこで、位置決め部材は切断・除去出来る形態とし、しかも除去した後の残片にて組み立てに支障がないように、フロント部の上面や側面に必要に応じて形成した凹溝から立ち上がる位置決め部材を設けている。
【発明の効果】
【００１０】
本発明はフロント部外側に位置決め部材を設けている為に、該フロント部表面より大きなサイズの化粧板を正しく位置決めして貼着することが出来る。すなわち、位置決め部材はフロント部の外側に該フロント部と一体的に形成して設けられ、化粧板は該位置決め部材に当てることで所定の位置に正しく位置決めされる。そして、位置決めして貼着された後の位置決め部材は削除されるために、キャビネットへの組み付け作業に何ら邪魔にならない。
【００１１】
フロント部上面や側面等には凹溝が形成されていて、この凹溝から位置決め部材が立ち上がっている為に、切断した後の残片が組み立てに邪魔になることはない。又、位置決め部材を削除し易いように、細くした切断部を設けることで簡単に除去出来、しかも凹溝深さより短くするならば何所で切断しても残片が組み立て時に邪魔にならない。
【００１２】
このように、本発明は位置決め部材を備えることで高精度な位置決め機能を有す治具を必要とせず、フロントパネルに化粧板を正しく貼着することが出来る。その為に、作業場所は限定されずに何所でも貼着作業を行うことが出来、しかも高精度な位置決め治具は不要と成るなど、コスト上のメリットもある。
【実施例】
【００１３】
図１はディスク装置を示す外観図である。正面中央部にはトレイが出入りするトレイ口１１が設けられ、また複数のプッシュボタン１２ａ，１２ｂ・・が備わっている。ここで、上記プッシュボタン１２ａ，１２ｂ・・の機能は特に限定することはないが、例えばディスク装置の場合、１２ａは再生ボタン、１２ｂは早送りボタン、１２ｃは早戻しボタン、１２ｄはスキップボタン、１２ｅはトレイオープンボタンとして機能させることが出来る。
【００１４】
そして、プッシュボタン１２ａ，１２ｂ・・の配置は自由であり、フロントパネルの外観要素の１つとしてデザインされる。ここで、ディスク装置の正面には化粧板１３が貼着され、この化粧板１３は同図に示しているようにキャビネット１４と同じ大きさを成し、キャビネット１４の縁が表面化しないことでディスク装置の正面意匠が向上するデザインとなっている。
【００１５】
化粧板１３はフロント部に貼着された状態で上記キャビネット１４に取付けられるが、該キャビネット１４の正面開口に正しく位置合わせされなくてはならない。すなわち、化粧板１３とキャビネット開口との間に位置ズレ段差が発生しないように、フロント部に貼着される際に位置決めしている。
【００１６】
図２はフロント部１５と化粧板１３を示しているが、化粧板１３は接着剤又は両面テープを介してフロント部１５の表面１６に貼着される。この際、該化粧板１３が正しく位置決めされるように、フロント部１５の両側及び上側には位置決め部材１７ａ，１７ｂ，１７ｃ，１７ｄを４箇所に設けている。そして、下側には表面１６から僅かに突出した縁１８を沿設している。
【００１７】
図３に拡大図を示しているように、上記位置決め部材１７は概略Ｌ型形状を成し、起立部１９と位置決め部２０を有している。そして、起立部１９は形成した凹溝２１の底から起立し、起立部１９の基部には切断部２２を形成しているが、切断部２２の高さは凹溝２１の深さより低く成っている。位置決め部２０はフロント部１５の上面及び側面に沿って延び、下面２３は平行を成している。
【００１８】
図４はフロント部１５の表面１６に化粧板１３を貼着した場合を示している。該化粧板１３はその下側は表面１６の下側に突出して沿設された縁１８にガイドされ、そして４箇所の位置決め部材１７ａ，１７ｂ，１７ｃ，１７ｄに当たって正しく位置決めされる。位置決め部２０，２０・・は化粧板１３の上側及び両側に当接して拘束することが出来るように、フロント部表面１６から正面側へ延び、化粧板１３が正しく位置決めされた状態で両面テープにてフロント部表面に貼着される。
【００１９】
図５は位置決め部材１７ａ，１７ｂ，１７ｃ，１７ｄを削除した場合であり、化粧板１３がフロント部表面１６に正しく位置決めされて貼着された後は上記位置決め部材１７ａ，１７ｂ，１７ｃ，１７ｄは不要となる。そこで、起立部１９の基部に位置する切断部２２にて切断される。切断部２２は細くなっている為に、工具を使用して簡単に切断され、この際、切断部２２の高さが凹溝２１の深さより低い為に、切断された残りの切断部２２が凹溝２１から突出することはない。
【００２０】
このように、化粧板１３を貼着したフロント部１５は、図６に示すようにキャビネット１４の正面開口に取付けられ、前記図１に示すディスク装置となる。フロント部表面１６に正しく位置決めされて貼着した化粧板１３は、フロント部１５が取付けられることで、キャビネット開口の縁２４は化粧板１３の裏側外周に当接し、縁２４が表面化することはない。
【００２１】
図７(１)〜(５)の各工程はフロント部表面１６に化粧板１３を貼着する方法を示している。
(１)は化粧板１３を貼着する前段階であって、フロント部１５とは分離されている。ここで、フロント部１５の側面及び上面に沿って延びる位置決め部２０の先端は表面１６より突出している。
(２)はフロント部表面１６に化粧板１３を貼着した場合であり、該化粧板１３はフロント部下側に沿設している縁１８と４箇所の位置決め部材１７ａ，１７ｂ・・にて位置決めされ、そして両面テープにて貼着される。
(３)位置決めして貼着された化粧板１３には、位置決め部材１７ａ，１７ｂ・・は不要となり、基部の切断部２２から切断される。
(４)位置決め部材１７ａ，１７ｂ・・を削除してキャビネット１４に取付ける場合である。ここで、位置決め部材１７ａ，１７ｂ・・は切断部２２にて切断され、しかも、凹溝２１に残った切断部２２の先端が上面及び側面から突出することはなく、キャビネット１４の開口へ何ら障害なく嵌められる。
(５)はフロント部１５がキャビネット開口に嵌って取付けられた場合であり、位置決めされた化粧板１３の外周がキャビネット１４の上面及び側面からはみ出すことはない。
【００２２】
図８は化粧板１３を貼着する別の方法である。この化粧板１３は前記図７に示しているものより大きく、フロント部１５の下側へも延びている。
(１)は化粧板１３を貼着する前であって、フロント部１５とは分離されている。そして、フロント部１５の側面及び上面に沿って延びる位置決め部２０の先端は表面１６より突出している。
(２)はフロント部表面１６に化粧板１３を貼着した場合であり、該化粧板１３は複数箇所の位置決め部材１７ａ，１７ｂ・・にて位置決めされ、そして両面テープにて貼着される。ここで、位置決め部材１７ａ，１７ｂ・・の個数は、少なくともフロント部側面１と上面に２個づつあれば可能であり、この実施例ではフロント部下側には位置決め部材を備えていない。
(３)位置決めして貼着された化粧板１３には、位置決め部材１７ａ，１７ｂ・・は不要となり、基部の切断部２２から切断される。
(４)位置決め部材１７ａ，１７ｂ・・を削除してキャビネット１４に取付ける場合である。ここで、位置決め部材１７ａ，１７ｂ・・は切断部２２にて切断され、しかも、凹溝２１に残った切断部２２の先端が上面及び側面から突出することはなく、キャビネット１４の開口へ嵌められる。
(５)はフロント部１５がキャビネット開口に嵌って取付けられた場合であり、位置決めされた化粧板１３の外周がキャビネット１４の上面及び側面からはみ出すことはない。
【図面の簡単な説明】
【００２３】
【図１】ディスク装置の外観図。
【図２】互いに分離しているフロント部と化粧板。
【図３】位置決め部材の詳細図。
【図４】フロント部に化粧板を貼着した場合。
【図５】フロント部から位置決め部材を削除した場合。
【図６】化粧板を貼着したフロント部をキャビネット開口に嵌める場合。
【図７】フロント部表面に化粧板を貼着する工程。
【図８】フロント部表面に化粧板を貼着する工程。
【図９】従来のフロント部に貼着した化粧板。
【符号の説明】
【００２４】
11  トレイ口
12  プッシュボタン
13  化粧板
14  キャビネット
15  フロント部
16  表面
17  位置決め部材
18  縁
19  起立部
20  位置決め部
21  凹溝
22  切断部
23  下面
24  縁
【図１】
2005136141.tif 000003
【図２】
2005136141.tif 000004
【図３】
2005136141.tif 000005
【図４】
2005136141.tif 000006
【図５】
2005136141.tif 000007
【図６】
2005136141.tif 000008
【図７】
2005136141.tif 000009
【図８】
2005136141.tif 000010
【図９】
2005136141.tif 000011